(57)【要約】      （修正有）【課題】取水タンクに空気抜き用の孔を設けずに取水タンクの空気抜きを行なえるようにし、取水タンクから雨水が漏れ出して、周りが水浸しになったり、取水タンク内に虫やごみなどが侵入することがない雨水の取水装置を提供する。【解決手段】取水器２は途中が分断された縦樋４の上側部下端に繋がる上端の取水口５と縦樋４の下側部上端に繋がる下端の排水口６とが同一鉛直線上に位置し、この取水口５と排水口６との間に取水口５の真下に位置する取水受け部７と、この取水受け部７に入らない雨水を排水口６に導く排水流路８が形成され、取水受け部７の下端のホース接続口１０と密閉型の取水タンク１の上端側部のホース接続口１１との間には可撓性のホース１２が繋がれており、取水器２の排水流路８と取水タンク１内部との間にエアー抜き用チューブ１３が前記ホース１２内に挿通されて設けられている。【選択図】図３
2005120714.tif 000002
【特許請求の範囲】
【請求項１】
縦樋の途中に設けられる取水器は途中が分断された縦樋の上側部下端に繋がる上端の取水口と縦樋の下側部上端に繋がる下端の排水口とが同一鉛直線上に位置し、この取水口と排水口との間に取水口の真下に位置する取水受け部と、この取水受け部に入らない雨水を排水口に導く排水流路が形成され、取水受け部にはフィルターが上方より脱着可能に設けられ、取水受け部の下端のホース接続口と密閉型の取水タンクの上端側部のホース接続口との間には可撓性のホースが繋がれており、取水器の排水流路と取水タンク内部との間にエアー抜き用チューブが前記可撓性のホース内に挿通されて設けられていることを特徴とする雨水の取水装置。
【発明の詳細な説明】
【技術分野】
【０００１】
本発明は、建物の縦樋を流れ落ちる雨水を濾過しながら集める雨水の取水装置に関するものである。
【背景技術】
【０００２】
従来のこの種の雨水の取水装置としては例えば特許文献１に開示されているものが知られている。
この特許文献１に開示されている雨水の取水装置は縦樋の途中に設けられる縦樋継ぎ手に取水用の分岐口を形成し、この分岐口のホース接続部と取水タンクの取水口とをホースにて接続し、縦樋継ぎ手の分岐口から雨水をホースにて取水タンクに導いて取水タンクに集める構成となっている。
【特許文献１】特開２００１−３０３６２５号公報
【発明の開示】
【発明が解決しようとする課題】
【０００３】
上記した特許文献１に開示されている雨水の取水装置は雨水をホースにて取水タンクに集めるようになっているが、取水タンク内の空気抜きの対策については開示されておらず、例えば取水タンクに空気抜き用の孔を設けた場合、取水タンク内が雨水で満杯になると取水タンクから雨水が漏れ出し、周りが水浸しになるという問題がある。また、取水タンクに空気抜き用の孔を設けた場合、その孔から虫やごみなどが取水タンク内に侵入するという問題もある。
【０００４】
本発明の目的は、このような課題を解決するものであり、取水タンクに空気抜き用の孔を設けずに取水タンクの空気抜きを行なえるようにし、取水タンクから雨水が漏れ出して、周りが水浸しになったり、取水タンク内に虫やごみなどが侵入することがない雨水の取水装置を提供することにある。
【課題を解決するための手段】
【０００５】
本発明の請求項１に記載の雨水の取水装置は、縦樋の途中に設けられる取水器は途中が分断された縦樋の上側部下端に繋がる上端の取水口と縦樋の下側部上端に繋がる下端の排水口とが同一鉛直線上に位置し、この取水口と排水口との間に取水口の真下に位置する取水受け部と、この取水受け部に入らない雨水を排水口に導く排水流路が形成され、取水受け部の上端にはフィルターが上方より脱着可能に設けられ、取水受け部の下端のホース接続口と密閉型の取水タンクの上端側部のホース接続口との間には可撓性のホースが繋がれており、取水器の排水流路と取水タンク内部との間にエアー抜き用チューブが前記可撓性のホース内に挿通されて設けられていることを特徴とする。
【発明の効果】
【０００６】
以上のように、本発明の雨水の取水装置は、縦樋の途中に設けられた取水器の取水受け部と取水タンクとを可撓性のホースで繋ぎ、取水器の排水流路と密閉型の取水タンク内部との間にエアー抜き用チューブが前記可撓性のホース内に挿通されて設けられいるので、取水器から雨水が密閉型の取水タンクに導かれるとき、取水タンクから押し出されたエアーを前記排水流路内に排出させることができ、取水タンクに空気抜き用の孔を設けることなく取水タンクの空気抜きを行なうことが可能となり、取水タンクから雨水が漏れ出して、周りが水浸しになったり、取水タンク内に虫やごみなどが侵入することがない。
【発明を実施するための最良の形態】
【０００７】
以下、本発明の実施の形態について、図面に基づき説明する。
先ず、図１〜図３に示す第１の実施の形態について説明すると、１は合成樹脂製の密閉型の取水タンク、２は建物の壁面３に沿って上下方向に取り付けられる縦樋４の途中で取水タンク１より上方に設けられる合成樹脂製の取水器で、この取水器２は途中が分断された縦樋４の上側部下端に上端が脱着可能に外嵌し、また途中が分断された縦樋４の下側部上端に下端が脱着可能に内嵌して縦樋４の途中に設けられる。前記取水器２は縦樋４の上側部下端に繋がる上端の取水口５と縦樋４の下側部上端に繋がる下端の排水口６とが同一鉛直線上に位置し、この取水口５と排水口６との間に取水口５の真下に位置する取水受け部７と、この取水受け部７に入らない雨水を排水口６に導く排水流路８が形成され、取水受け部７にはフィルター９が上方より脱着可能に設けられ、取水受け部７の下端のホース接続口１０と取水タンク１の上端側部のホース接続口１１との間には可撓性のホース１２が繋がれている。１３は前記取水タンク１内のエアーを抜くためのエアー抜き用チューブで、前記可撓性のホース１２内に通され一端は前記取水受け部７の下端より排水流路８内に貫通し、他端は取水タンク１のホース接続口１１より取水タンク１内に突出している。そして、このエアー抜き用チューブ１３の他端には取水タンク１内に溜まっている雨水表面にエアー抜き用チューブ１３の他端を雨水表面より上側に開口状態で浮かせるフロート１４が装着されている。なお、エアー抜き用チューブ１３の他端近傍においてフロート１４の手前で屈曲性を持たせるためにエアー抜き用チューブ１３の途中に軟質のチューブ１３ａが介在されている。また、エアー抜き用チューブ１３は取水受け部７の下端のホース接続口１０の近傍における可撓性のホース１２内において軟質のチューブ１５によって支持されている。ところで、前記取水器２を縦樋４の途中に簡単に脱着させるために縦樋４に対し取水器２を差し込み式としている。詳しくは、縦樋４の下側部を下方にずらした状態で取水器２の上端の取水口５を縦樋４の上側部下端に外嵌させ、その後取水器２の下端の排水口６に縦樋４の下側部上端を外嵌させるようになっている。なお、取水器２を縦樋４から外す場合は逆の手順で作業を行なうものである。
【０００８】
上記構成において、降雨時に軒樋から縦樋４に流れ込んだ雨水は縦樋４の途中に設けられた取水器２に入り、前記取水受け部７を通って前記可撓性のホース１２から取水タンク１に導かれる。このとき、取水受け部７においてはフィルター９により雨水に含まれるごみが取り除かれ、雨水が取水タンク１に導かれる。また、取水タンク１は密閉型であるので、取水タンク１内に流れ込んだ雨水の量と相当の取水タンク１内のエアーを排出しなければ取水タンク１の内圧が高くなり、ホース１２から取水タンク１に雨水が流れ込むことが不可能となり、そのためにエアー抜き用チューブ１３の他端を取水タンク１内に突出させ、取水タンク１に雨水が流れ込むことにより取水タンク１から押し出されたエアーを前記排水流路８内に排出させるようになっている。
【０００９】
雨量が少ないときは大部分の雨水は前記取水受け部７に入って取水タンク１に導かれるが、雨量が多いときは雨水の全てが取水受け部７に入らずに、排水流路８に流れ込み排出される雨水もある。ところで、前記フィルター９はごみを取り除くことにより徐々に汚れる。フィルター９の取り替えもしくは洗浄の必要性が生じたときは前記取水器２を縦樋４から外して取水器２の上端の取水口５から指を入れて取水受け部７に対しフィルター９を脱着すれば良い。
【００１０】
次に、図４〜図６に示す第２の実施の形態について説明すると、取水器２を縦樋４の途中に簡単に脱着できるようにするために、排水口を取水器２とは別部品で構成して、排水口を取水器２の下端に脱着自在で且つ上下動自在に構成してある。詳しくは、取水器２下端の円筒状の接続部１６に対して円筒状の排水口用部材１７を下方から外嵌可能に構成し、排水口用部材１７の上端内面における対向する位置２箇所に形成した凸部１８を前記取水器２下端の接続部１６の外面における対向する位置２箇所に下端から上端に亘って形成した溝１９に下端より進入させ、この溝１９の下端近傍における途中に形成した係合用の溝部２０に前記凸部１８を係合させるようにしてある。ところで、排水口用部材１７を接続部１６に深く嵌め込み凸部１８を溝１９の上端に位置させたときは排水口用部材１７が最上端に位置して、接続部１６の上端と排水口用部材１７の下端との寸法が短くなり、排水口用部材１７を下げて排水口用部材１７を少し回転させ、凸部１８を前記係合用の溝部２０に係合させることにより接続部１６の上端と排水口用部材１７の下端との寸法が長くなる。つまり、取水器２下端の排水口長さを変化できるようにしてあり、取水器２を縦樋４の途中に取り付けるとき、排水口用部材１７を接続部１６に深く嵌め込んで凸部１８を溝１９の上端に位置させて接続部１６の上端と排水口用部材１７の下端との寸法を短くした状態とし、取水器２の上端の取水口５を縦樋４の上側部下端に外嵌させ、その後排水口用部材１７を下降させて縦樋４の下側部上端に嵌入させるとともに凸部１８を前記係合用の溝部２０に係合させることにより縦樋４に対する取水器２の取り付けが完了する。他の構成は前記第１の実施の形態と同様である。この第２の実施の形態においても取水器２の取り付けの際に必要に応じて第１の実施の形態と同様に縦樋４の下側部を下方にずらすようにしても良い。
【００１１】
なお、上記した２つの実施の形態において縦樋４の途中に取水器２を取り付けるのに取水器２と縦樋４の端部との間に短い円筒状の接続部材を介在させるようにしても良い。
【図面の簡単な説明】
【００１２】
【図１】本発明の第１の実施の形態における雨水の取水装置の全体斜視図である。
【図２】同雨水の取水装置の要部拡大斜視図である。
【図３】同雨水の取水装置の拡大断面図である。
【図４】本発明の第２の実施の形態における取水器と排水口用部材とを切り離した状態を示す斜視図である。
【図５】同取水器を縦樋に取り付ける途中の状態を示す一部切り欠き正面図である。
【図６】同取水器を縦樋に取り付けた状態を示す一部切り欠き正面図である。
【符号の説明】
【００１３】
１      取水タンク
２      取水器
３      壁面
４      縦樋
５      取水口
６      排水口
７      取水受け部
８      排水流路
９      フィルター
１０      ホース接続口
１１      ホース接続口
１２      ホース
１３      エアー抜き用チューブ
１３ａ    チューブ
１４      フロート
１５      チューブ
１６      接続部
１７      排水口用部材
１８      凸部
１９      溝
２０      溝部
【図１】
2005120714.tif 000003
【図２】
2005120714.tif 000004
【図３】
2005120714.tif 000005
【図４】
2005120714.tif 000006
【図５】
2005120714.tif 000007
【図６】
2005120714.tif 000008